(57)【要約】      （修正有）【課題】寝心地をより良くしたマットレス及びベッド用敷寝具を提供する。【解決手段】ベッド用敷寝具は、底部と該底部の周辺部に立設された縁部とから成る箱状の有底枠体に、分割されたコアを自由に組み合わせたマットレスを敷き詰めて構成される。マットレスには、ラテックス層とウレタン層と低反発ウレタン層から構成されるマットレス、立体的に絡み合わせて溶着した極細繊維状樹脂層とウレタン層とラテックス層から構成されるマットレス、立体的に絡み合わせて溶着した極細繊維状樹脂層とウレタン層と低反発ウレタン層から構成されるマットレスの３種類があり、夫々のマットレスはサイズに応じて３又は６個のコアから構成される。【選択図】図１
0003181466.tif 000002
【実用新案登録請求の範囲】
【請求項１】
複数のコアで構成されるマットレスであって、
前記複数のコアのそれぞれは、
立体的に絡み合わせて溶着した極細繊維状樹脂層と、
複数の空気穴が設けられたラテックス層と、
前記極細繊維状樹脂層と前記ラテックス層に挟まれたウレタン層と
を有することを特徴とするマットレス。
【請求項２】
複数のコアで構成されるマットレスであって、
前記複数のコアのそれぞれは、
立体的に絡み合わせて溶着した極細繊維状樹脂層と、
低反発ウレタン層と、
前記極細繊維状樹脂層と前記低反発ウレタン層に挟まれたウレタン層と
を有することを特徴とするマットレス。
【請求項３】
複数のコアで構成されるマットレスであって、
前記複数のコアのそれぞれは、
複数の空気穴が設けられたラテックス層と、
低反発ウレタン層と、
前記ラテックス層と前記低反発ウレタン層に挟まれたウレタン層と
を有することを特徴とするマットレス。
【請求項４】
前記複数のコアは、前記マットレスのサイズに応じて、３個又は６個から成ることを特徴とする請求項１乃至３のいずれか１項に記載のマットレス。
【請求項５】
請求項１乃至４のいずれか１項に記載の前記マットレスと、
前記マットレスを敷き詰め、底部と前記底部の周辺部に設けられた縁部とを有する箱状の有底枠体と
を具備することを特徴とするベッド用敷寝具。
【請求項６】
前記有底枠体は、前記有底枠体の内面と外面を連通する複数の空気穴を有することを特徴とする請求項５に記載のベッド用敷寝具。
【請求項７】
前記マットレスの厚さは、前記有底枠体の縁部の高さよりも高いことを特徴とする請求項５又は６に記載のベッド用敷寝具。
【考案の詳細な説明】
【技術分野】
【０００１】
本考案は、マットレス及びベッド用敷寝具に関し、就寝者にとって用途や季節に応じた寝心地のよい安眠快眠を確保することができるマットレス及びベッド用敷寝具に関する。
【背景技術】
【０００２】
ベッド用敷寝具として、通気性のある心材を挟んで異なる２枚の厚板状ラテックス発泡体を重ね合わせて成るマットレスが、浅い箱状の有底枠体の中に敷きつめられ構成されたベッド用敷寝具が知られている。
【０００３】
ベッド用敷寝具に関し、例えば、特許文献１では、マットレス１０は、通気性のある心材１２を挟んで厚さの異なる２枚の厚板状ラテックス発泡体１１ａ，１１ｂを重ね合わせ、それらを表がわ１４で包んで構成されている。このマットレス１０は、底部２とこの底部２の周辺部に立設された縁部３とから成る浅い箱状の有底枠体１の中に、敷きつめられている。
【０００４】
この文献に開示されたベッド用敷寝具は、マットレスの上に横になると、身体全体が自然な感じでマットレスに受け止められ、体圧が均等に分散され、睡眠姿勢を実現できるものである。さらに、硬い面を好む場合は、厚さの薄い高反発のラテックスの面を、柔らかい面を好む場合は、厚さの厚い高反発のラテックスの面を選定するというものである。しかし、従来のベッド用敷寝具は、高反発のラテックスの面を選定するマットレスから構成されているため、季節や更なる用途に応じて使用する者にとって使い勝手の点で良好なものとはいえなかった。
【先行技術文献】
【特許文献】
【０００５】
【特許文献１】実用新案登録第３０９２４６４号公報
【考案の概要】
【考案が解決しようとする課題】
【０００６】
本考案は、寝心地をより良くしたマットレス及びベッド用敷寝具を提供する。
【課題を解決するための手段】
【０００７】
本考案の第１の態様によるマットレスは、複数のコアで構成されるマットレスであって、前記複数のコアのそれぞれは、立体的に絡み合わせて溶着した極細繊維状樹脂層と、複数の空気穴が設けられたラテックス層と、前記極細繊維状樹脂層と前記ラテックス層に挟まれたウレタン層とを有する。
【０００８】
本考案の第２の態様によるマットレスは、複数のコアで構成されるマットレスであって、前記複数のコアのそれぞれは、立体的に絡み合わせて溶着した極細繊維状樹脂層と、低反発ウレタン層と、前記極細繊維状樹脂層と前記低反発ウレタン層に挟まれたウレタン層とを有する。
【０００９】
本考案の第３の態様によるマットレスは、複数のコアで構成されるマットレスであって、前記複数のコアのそれぞれは、複数の空気穴が設けられたラテックス層と、低反発ウレタン層と、前記ラテックス層と前記低反発ウレタン層に挟まれたウレタン層とを有する。
【００１０】
上記第１乃至第３の態様におけるマットレスにおいて、前記複数のコアは、前記マットレスのサイズに応じて、３個又は６個から成る。
【００１１】
本考案の第４の態様によるベッド用敷寝具は、上記第１乃至第３の態様のいずれかによる前記マットレス１０と、前記マットレスを敷き詰め、底部と前記底部の周辺部に設けられた縁部とを有する箱状の有底枠体とを具備する。
【００１２】
上記第４の態様によるベッド用敷寝具において、前記有底枠体は、前記有底枠体の内面と外面を連通する複数の空気穴を有する。
【００１３】
上記第４の態様によるベッド用敷寝具において、前記マットレスの厚さは、前記有底枠体の縁部の高さよりも高い。
【考案の効果】
【００１４】
本考案によれば、寝心地をより良くしたマットレス及びベッド用敷寝具を提供できる。
【図面の簡単な説明】
【００１５】
【図１】本考案の一実施形態に係るベッド用敷寝具を示す斜視図である。
【図２】本考案の一実施形態に係るマットレスのコアの構成を示す拡大斜視図である。
【図３】本考案の一実施形態に係るマットレスのコアの組み合わせを示す斜視図である。
【図４】本考案の一実施形態に係るマットレスを有底枠体に敷き詰めたベッド用敷寝具を示す斜視図である。
【図５】本考案の一実施形態に係るマットレスを有底枠体に敷き詰めたベッド用敷寝具の図４のＡＡ断面図である。
【図６】ベッド用敷寝具の従来例を示す図である。
【考案を実施するための形態】
【００１６】
以下、実施の形態について、図面を参照して説明する。この説明に際し、全図にわたり、共通する部分には共通する参照符号を付す。
図１を用いて、本考案の一実施形態に係るマットレス及びベッド用敷寝具について説明する。図１に示すように、本考案に係るベッド用敷寝具は、マットレス１０と有底枠体３０とを有して構成され、マットレス１０は、有底枠体３０内に敷き詰められる。
マットレス１０は、ベッドサイズに応じて、複数（本図では６個）のコア２０から構成される。各コア２０の平面形状は、例えば、正方形、長方形等である。複数のコア２０は、互いに同じ平面形状であることが望ましいが、有底枠体３０内にうまく敷き詰められるのであれば、複数の異なる形状で構成されても良い。
複数のコア２０は、互いに分離されている。但し、コア２０の側面に例えば接着テープなどを付け、各コア２０を接着するようにすることも可能である。
【００１７】
有底枠体３０は、箱状であり、底部４０と縁部５０とから構成される。底部４０は、例えば、長方形状である。縁部５０は、４つの縁部５０ａ，５０ｂ，５０ｃ，５０ｄで形成されている。縁部５０ａ，５０ｂは、底部４０の長辺の周辺部上にそれぞれ設けられ、縁部５０ｃ，５０ｄは、底部４０の短辺の周辺部上にそれぞれ設けられている。
有底枠体３０には、有底枠体３０の内面と外面を連通する複数の空気穴６０が設けられている。例えば、図１では、空気穴６０は、底部４０に３個、縁部５０ａ，５０ｂ，５０ｃ，５０ｄにそれぞれ１個ずつ、合計７個存在する。但し、空気穴６０の設ける位置や数は、図１に限定されず、種々変更可能である。
有底枠体３０は、例えば、底部４０が軟質ウレタン発泡体で構成され、縁部５０が硬質ウレタン発泡体で構成され、底部４０と縁部５０が接着されている。
ここで、有底枠体３０の寸法の一例について述べる。有底枠体３０は、長さが約２ｍ、幅はベッドの規格に従って、シングルの１ｍから、セミダブル、ダブル、ダブルワイドと広くなり、最大はクィーンサイズの１．６７ｍまである。底部４０の厚さは、８０ｍｍ、縁部５０の高さは、１２０ｍｍである。空気穴６０の径は、３０ｍｍ、空気穴６０の隣同士のピッチは、２００ｍｍである。
【００１８】
図２を用いて、本考案の一実施形態に係るマットレスを構成するコア２０の３つの例について詳細に説明する。
第１の例では、図２（ａ）に示すように、コア２０は、立体的に絡み合わせて溶着した極細繊維状樹脂層２１とウレタン層２２と複数の空気穴が設けられた高反発のラテックス層２３の三層から成る。ここで、ウレタン層２２は、極細繊維状樹脂層２１とラテックス層２３に挟まれている。極細繊維状樹脂層２１とラテックス層２３の厚さは、例えば約３０ミリメートルであり、ウレタン層２２の厚さは、例えば約８０ミリメートルである。
極細繊維状樹脂層２１は、極細の繊維状の樹脂を立体的に絡み合わせ溶着して構成されている。このため、極細繊維状樹脂層２１は、通気性に優れ、復元性も高い。よって、この極細繊維状樹脂層２１の面に就寝することで、寝汗を抑制でき、お年寄りや小さな子供にとって寝返りが容易になる。
ラテックス層２３は、高反発性の弾力性のあるゴム素材の合成ラテックスを使用し、多数の空気穴を設けて構成されている。このため、ラテックス層２３は、抗菌性に優れ、通気性が良く、硬すぎず、柔らかすぎず、弾力性があるので、体圧分散に優れている。よって、ラテックス層２３の面に就寝することで、寝汗を抑制でき、腰痛や肩こり予防の効果を確保できる。
【００１９】
第２の例では、図２（ｂ）に示すように、コア２０は、立体的に絡み合わせて溶着した極細繊維状樹脂層２４とウレタン層２５と低反発ウレタン層２６の三層から成る。ここで、ウレタン層２５は、極細繊維状樹脂層２４と低反発ウレタン層２６に挟まれている。極細繊維状樹脂層２４と低反発ウレタン層２６の厚さは、例えば約３０ミリメートルあり、ウレタン層２５の厚さは、例えば約８０ミリメートルある。
第２の例における極細繊維状樹脂層２４は、第１の例における極細繊維状樹脂層２１と同様であるため説明を省略する。
低反発ウレタン層２６の面に就寝することで、身体を包み込むように身体のラインに沿ってフィットし、身体に密着するため、寝心地が良く、特に冬の季節に安眠快適を確保できる。
【００２０】
第３の例では、図２（ｃ）に示すように、コア２０は、複数の空気穴が設けられた高反発のラテックス層２７とウレタン層２８と低反発ウレタン層２９の三層から成る。ここで、ウレタン層２８は、ラテックス層２７と低反発ウレタン層２９に挟まれている。ラテックス層２７と低反発ウレタン層２９の厚さは、例えば約３０ミリメートルあり、ウレタン層２８の厚さは、例えば約８０ミリメートルである。
第３の例におけるラテックス層２７は、第１の例におけるラテックス層２３と同様であり、第３の例における低反発ウレタン層２９は、第２の例における低反発ウレタン層２６と同様であるため説明を省略する。
尚、上記第１乃至第３の例によるコア２０において、各層の厚みは一例であり、これに限定されない。例えば、第１の例によるコア２０では、極細繊維状樹脂層２１とラテックス層２３の厚さは、同じであり、ウレタン層２２よりも薄いが、極細繊維状樹脂層２１とラテックス層２３の厚さは、異なり、ウレタン層２２よりも厚いまたはウレタン層２２と等しくてもよい。第２の例によるコア２０では、極細繊維状樹脂層２４と低反発ウレタン層２６の厚さは、同じであり、ウレタン層２５よりも薄いが、極細繊維状樹脂層２４と低反発ウレタン層２６の厚さは、異なり、ウレタン層２５よりも厚いまたはウレタン層２５と等しくてもよい。第３の例によるコア２０では、ラテックス層２７と低反発ウレタン層２９の厚さは、同じであり、ウレタン層２８よりも薄いが、ラテックス層２７と低反発ウレタン層２９の厚さは、異なり、ウレタン層２８よりも厚いまたはウレタン層２８と等しくてもよい。
また、上記第１乃至第３の例によるコア２０では、三層構造を例示しているが、必ずしも三層に限定されない。例えば、第１の例によるコア２０において、極細繊維状樹脂層２１とウレタン層２２との間やラテックス層２３とウレタン層２２との間に介在層（例えば、硬質フェルト層、ポリエチレンシート層、パームロック層）が存在しても良い。
【００２１】
図３を用いて、本考案の一実施形態に係るマットレスを構成するコア２０について詳細に説明する。
図３（ａ）に示すように、マットレス１０のサイズがシングル及びセミダブルの場合は、コア２０が３個から構成される。この場合、３個のコア２０は、例えば、長方形状のコア２０の長辺が接するように並べると良い。
図３（ａ）のようなマットレス１０は、頭部、腰部及び脚部に相当する個所に適したものにしたい場合などに有効と考えられる。例えば、マットレス１０において、Ａ列のコア２０は、頭部に適した面を選定し、Ｂ列のコア２０は、腰部に適した面を選定し、Ｃ列のコア２０は、脚部に適した面を選定すると良い。
【００２２】
図３（ｂ）に示すように、マットレス１０のサイズがダブル以上の場合は、６個のコア２０から構成される。この場合、６個のコアは、例えば、正方形状のコア２０がマットレス１０の短辺方向に２列並ぶように配置すると良い。
図３（ｂ）のようなマットレス１０は、図３（ａ）の使用例に加えて、複数の就寝者が一緒に寝る場合（例えば、夫婦や小さな子供と添い寝する場合など）に有効と考えられる。例えば、小さな子供やお年寄りが就寝するときは、寝返りを容易にできるよう立体的に絡み合わせて溶着した極細繊維状樹脂層の面や高反発のラテックス層の面を選定すると良い。肥満の方は、寝汗を抑制するため通気性に優れた立体的に絡み合わせて溶着した極細繊維状樹脂層の面を選定すると良い。細身の方は、身体を包み込むような低反発ウレタン層の面を選定すると良い。つまり、このように、マットレス１０のＰ列又はＱ列に、就寝者の適宜用途に応じた好ましい面を選定することが可能であるので、コア２０をＰ列及びＱ列の左右異なる構成のマットレスにすることで、夫々就寝者の安眠快眠を確保することができる。
【００２３】
図４及び図５を用いて、本考案の一実施形態に係るベッド用敷寝具の詳細について説明する。ここでは、図２（ａ）の第１の例のコア２０を６個用いたマットレス１０を用いて説明するが、コア２０の構造及び数は、これに限定されず、種々変更可能である。
図４及び図５に示すように、マットレス１０は、有底枠体３０内に敷き詰められている。ここで、コア２０から構成されるマットレス１０の厚さＴは、縁部５０の高さ（有底枠体３０の深さ）Ｈよりも高い。図５の例の場合、コア２０の極細繊維状樹脂層２１の２／３程度が、縁部５０の上面よりも突出している。
尚、就寝者がいる状態では、マットレス１０の上面の高さと縁部５０の上面の高さがほぼ均一になるように、マットレス１０の反発性と厚みが調整されている。
【００２４】
以上のように、本考案の一実施形態によるマットレス１０は、三層構造のコア２０で形成されている。具体的には、マットレス１０として、通気性に優れた立体的に絡み合わせて溶着した極細繊維状樹脂層２１とウレタン層２２と複数の空気穴が設けられた高反発のラテックス層２３とを有するコア２０（第１の例）、通気性に優れた立体的に絡み合わせて溶着した極細繊維状樹脂層２４とウレタン層２５と低反発ウレタン層２６とを有するコア２０（第２の例）、及び、複数の空気穴が設けられたラテックス層２７とウレタン層２８および低反発ウレタン層２９とを有するコア２０（第３の例）を用いている。
【００２５】
このような第１乃至第３の例によるコア２０の表裏（上下）面を選定したマットレス１０を、用途（例えば、小さな子供やお年寄りが寝返りを容易にできるようにしたい場合、寝苦しい熱帯夜が続く夏の季節や肌寒い極寒夜などの季節に応じたい場合、頭部、腰部及び脚部に相当する個所に適したものにしたい場合など）に応じて、有底枠体３０の中に敷き詰めて使用することにより、安眠快眠を確保することができる。例えば、蒸し暑い熱帯夜には立体的に絡み合わせて溶着した極細繊維状樹脂層２１，２４や通気性を更によくした高反発のラテックス層２３，２７の面に就寝することで、また真冬の極寒夜には身体を包み込むような安心感を与える低反発ウレタン層２６，２９の面に就寝することで、更には小さな子供やお年寄りが寝返りをし易いように立体的に絡み合わせて溶着した極細繊維状樹脂層２１，２４の面に就寝することで、季節や用途に応じた安眠快眠を確保することができる。
【００２６】
また、マットレス１０は、複数のコア２０で構成されている。このため、例えば、ベッド用敷寝具の長手方向に沿ってマットレス１０の表裏を変えることにより、身体の部位（例えば、頭、背中、尻など）に応じた硬軟度を実現できる。また、２人用のベッド用敷寝具の幅方向に、複数のコア２０を配置することで、各人それぞれの好みや体型に応じた硬軟度にすることができる。
【００２７】
また、サイズに応じて複数（例えば、３個又は６個）のコア２０から構成されるマットレス１０を有底枠体３０内に敷き詰めている。これにより、マットレス１０のズレや変形（形くずれ）、コア２０の隙間を防ぐことができる。
【００２８】
また、有底枠体３０には、有底枠体３０の内面と外面を連通する複数の空気穴６０が設けられている。これにより、更に通気性を確保し、湿気を排除することで、安眠快眠を向上することができる。
【００２９】
また、コア２０から構成されるマットレス１０の厚さＴは、有底枠体３０の縁部５０の高さＨよりも高く構成されている。このため、就寝者がいない状態では、マットレス１０にシーツやタオルケットを被せると、ふんわりとした高級感のある見栄えにすることができる。一方、就寝者がいる状態では、マットレス１０の高さＴと有底枠体３０の縁部５０Ｈの高さがほぼ均一になり、有底枠体３０の縁部５０の部分も就寝に使用することできる。
【００３０】
尚、本考案の一実施形態を説明したが、この実施形態は、例として提示したものであり、考案の範囲を限定することは意図していない。この実施形態は、考案の要旨を逸脱しない範囲で種々変更可能であり、例えば、マットレス１０を構成するコア２０は、ベッド用敷寝具に使用することに限定されず、座布団やクッションなどとして使用することも可能である。
【産業上の利用可能性】
【００３１】
本考案に係るマットレス及びベッド用敷寝具は、マットレスを構成するコアが三層から成っており、就寝者の用途や季節に応じて選定したコアを組み合わせたマットレスを、有底枠体に敷き詰めた敷寝具に就寝することで、疲れた身体を癒し、より快適な安眠快眠を確保することができる。
【符号の説明】
【００３２】
１０    マットレス
２０    コア
２１    立体的に絡み合わせて溶着した極細繊維状樹脂層
２２    ウレタン層
２３    ラテックス層
２４    立体的に絡み合わせて溶着した極細繊維状樹脂層
２５    ウレタン層
２６    ラテックス層
２７    低反発ウレタン層
２８    ウレタン層
２９    低反発ウレタン層
３０    有底枠体
４０    底部
５０    縁部
６０    空気穴
【図１】
0003181466.tif 000003
【図２】
0003181466.tif 000004
【図３】
0003181466.tif 000005
【図４】
0003181466.tif 000006
【図５】
0003181466.tif 000007
【図６】
0003181466.tif 000008